(57)【要約】      （修正有）【課題】位置決めコンポーネントの脱着が便利であり、組み立てた後は、極めて安定していて、打ちピンジグの位置決めずれを避けることができる中央演算処理装置の打ちピンジグの位置決め装置を提供する。【解決手段】主に板材、複数の位置決めコンポーネントと、を備える。板材は、第１表面と第２表面と、を有し、板材はさらに、複数の型穴と複数の取付け穴を有する。取付け穴の内部は順を追って、それぞれ第１段差、第２段差と、第３段差と、を有する。複数の位置決めコンポーネントとは、取付け穴に内設していて、位置決めピンと、取付け具と、を有する。位置決めピンは、第１段差に設けられ、位置決めピンはさらに、打ちピンジグの第１表面に突き出す柱体を有し、かつ位置決めピンの内部は、ねじ穴を有する。固定具は、第３段差に内設され、一つの表面は、スクリューを有し、ねじ穴に締め付け固定されている。【選択図】図３
0003172898.tif 000002
【実用新案登録請求の範囲】
【請求項１】
板材、複数の位置決めコンポーネントと、を備え、基板ジグと位置合わせするための中央演算処理装置の打ちピンジグの位置決め装置であって、
前記板材は、第１表面と第２表面と、を有し、前記板材は、複数の型穴と複数の取付け穴を有する、前記取付け穴は、それぞれ第１段差、第２段差、第３段差と、を有し、前記第１段差は、前記第１表面に隣接し、前記第３段差は、前記第２表面に隣接する、
前記複数の位置決めコンポーネントは、前記取付け穴に内設され、前記位置決めコンポーネントは、
第１密着部を有し、前記第１段差に内設され、前記第１密着部の一つの表面は、延在部を有し、前記第２段差に設けられ、もう一つの表面は、柱体を有し、前記板材の前記第１表面に突き出していて、かつ前記位置決めピンは、ねじ穴を有する、位置決めピンと、
第２密着部を有し、前記第３段差に内設され、そのうち、一つの側面は、スクリューを有し、ねじ穴に締め付け固定する、取付け具と、を有する、
中央演算処理装置の打ちピンジグの位置決め装置
【請求項２】
前記取付け穴は、それぞれ前記板材の周りに設けることを特徴とする、請求項１記載の中央演算処理装置の打ちピンジグの位置決め装置。
【請求項３】
前記取付け穴の前記第１段差は、少なくとも一つの第１引き止め面を内設され、前記位置決めピンは、少なくとも一つの第２引き止め面を有し、前記取付け穴に内設することを特徴とする、請求項１または２のいずれか記載の中央演算処理装置の打ちピンジグの位置決め装置。
【請求項４】
前記第１密着部と前記第２密着部は、ディスク状の構造体を形成することを特徴とする、請求項１記載の中央演算処理装置の打ちピンジグの位置決め装置。
【請求項５】
前記第２密着部の側縁はさらに、少なくとも一対の切削面を設けていて、かつ一対の前記切削面は、対称に設置されていることを特徴とする、請求項４記載の中央演算処理装置の打ちピンジグの位置決め装置。
【考案の詳細な説明】
【技術分野】
【０００１】
本考案は、中央演算処理装置の打ちピンジグに関し、特に脱着が便利で、かつ構造が安定する打ちピンジグの位置決め装置に関する。
【背景技術】
【０００２】
中央演算処理装置（Ｃｅｎｔｒａｌ  Ｐｒｏｃｅｓｓｉｎｇ  Ｕｎｉｔ、以下ＣＰＵという。）の演算速度と機能の大幅な向上に伴い、ＣＰＵのピンの数は、数十本から数百本へと増加されている。現時点のＣＰＵは、量産の速度と生産収率を大幅に向上し、市場ニーズに応えるため、ほとんどがピングリッドアレイパッケージ（Ｐｉｎ−Ｇｒｉｄ  Ａｒｒａｙ、以下ＰＧＡという。）技術が採用されている。この種のＰＧＡパッケージのＣＰＵは、正方形または長方形の等距離を形成し、マザーボード（Ｍａｉｎ  Ｂｏａｒｄ）上の中央演算処理装置のソケット（ＳＯＣＫＥＴ）に挿入していて、ＣＰＵのピンは、それぞれソケットの挿入穴に合わせて挿入し、マザーボードと電気導通する。
さらに、ＰＧＡパッケージの電気性質は、ピンのピン打ちの技術及び精度と密接に関係するため、打ちピンプロセスは、ＰＧＡの生産プロセスにおいて、非常に重要な一つである。打ちピンのプロセスを行なう前に、複数のピンをあらかじめ打ちピンジグのピン穴にローディングして置き、複数の基板を基板ジグに取付けて置く。引き続き、基板ジグ、打ちピンジグと底板の位置合わせ行なった後、打ちピンのプロセスが開始され、ピンを基板の表面にハンダ付けさせ、最後は、基板ジグ、打ちピンジグ、底板を分離させ、ＣＰＵの打ちピンを完了する。
【０００３】
よって、打ちピンプロセスにおいて、基板ジグと打ちピンジグとの位置合わせは、ピンのハンダ付け位置に深く影響するため、その重要性は、非常に明確である。図１、２の公知打ちピンジグの位置決め装置の立体分解図、組立後の立体断面図を参照する。図に示すように、打ちピンジグ１は、板材１１と複数の位置決めコンポーネント１２と、を有する。そのうち、板材１１は、第１表面１１１と第２表面１１２を有し、第１表面１１１の周りは、それぞれ複数の取付け部１１３を設けていて、かつ取付け部１１３の中心部は、ビアホール１１３１を設けられ、ビアホール１１３１は、第１表面１１１と第２表面１１２に連絡されている。
位置決めコンポーネント１２は、それぞれ位置決めピン１２１と弾性固定シート１２２を有し、位置決めピン１２１の一つの表面は、ピン１２１１を設けられ、弾性固定シート１２２の中心部は、取付け穴１２２１を設けられている。組み立のときは、位置決めピン１２１のピン１２１１をビアホール１１３１にくぐらし、弾性固定シート１２２は、第２表面１１２から取付け部１１３に取付けて置き、ピン１２１１によって、くぐらした区間を取付け穴１２２１に取り付けて、組立を完了する。
【考案の概要】
【考案が解決しようとする課題】
【０００４】
しかし、ピン打ちプロセスを進めるとき、基板ジグの位置決めと位置合わせしてから、複数のピンを載せられた打ちピンジグ１にローディングして置き、基板とピンを合わせた後、ハンダ付けが開始される。ハンダ付けするときに発生する高温、及び板材と位置決めコンポーネントの部材の材質違いに起因する熱膨張現象は、使用時間を経過した後、金属疲労によって、位置決めコンポーネントの緩みを引き起し、位置決め効果に影響を与えるか、打ちピンジグ１を破損させ、さらに、ピン打ちするときにずれを発生し、打ちピンの精度を低下させ、製品の信頼性を大幅に低下させる恐れがある。さらに、位置決めコンポーネント１２の破損に続き、取付け穴１２２１の変形が発生する。よって、位置決めコンポーネント１２の交換が必要のほか、取付け穴１２２１を修整する必要があり、非常に不便である。
【０００５】
前記欠点について、本考案は、打ちピンジグに設ける複数の取付け穴を３つの段差の設計に改善するほか、取付け穴に固設される複数の位置決めコンポーネントをねじによる締め付けに変更し、脱着が便利になるほか、取付けた後、より安定さを形成する、中央演算処理装置の打ちピンジグの位置決め装置を提供する。さらに、位置決めコンポーネントは、取付けピンと取付け具を有し、取付けピンは、複数の段差を設けていて、自転を防止し、位置決めと安定固定などの効果を有する。
【課題を解決するための手段】
【０００６】
本考案の一目的は、ねじによる締め付け固定を利用し、高速で取付けられるほか、取付け後より安定し、交換が便利で、組立が便利な中央演算処理装置の打ちピンジグの位置決め装置を提供する。
【０００７】
本考案の次の目的は、位置決めコンポーネントの取付けピンに複数の段差を設けることによって、自転を防止し、位置決めと安定固定などの効果を有する、中央演算処理装置の打ちピンジグの位置決め装置を提供する。
【０００８】
前述目的を達成するため、本考案の基板ジグとの位置合わせに備える中央演算処理装置の打ちピンジグの位置決め装置は、板材、複数の位置決めコンポーネントと、を備える。板材は、第１表面と第２表面を有し、かつ複数の型穴と複数の取付け穴を設けられ、取付け穴は、それぞれ第１段差、第２段差、第３段差と、を有する。
第１段差は、第１表面に隣接し、第３段差は、第２表面に隣接する。複数の位置決めコンポーネントは、位置決めピンと、取付け具と、を有する。位置決めピンは、第１密着部を有し、第１段差に内設され、第１密着部の一つの表面は、延在部を有し、第２段差に内設され、もう一つの表面は、柱体を有し、板材の第１表面に突き出していて、かつ、ねじ穴を内設されている。取付け具は、第２密着部を有し、第３段差に内設され、第２密着部の一つの表面は、スクリューを有し、ねじ穴に締め付けて固定される。
【０００９】
位置決めコンポーネントの位置決めピンと取付け具は、ねじ締め付け方式による固定のため、脱着が非常に便利である。さらに、位置決めピンの第１密着部は、第１段差に内設され、取付け具の第２密着部は、第３段差に内設され、平面に接触されているため、極めて良い固定効果を有する。このほか、位置決めピンの延在部は、第２段差に内設されているため、位置決めの効果を達成できる。
【００１０】
そのうち、取付け穴は、それぞれ板材の周りに設置していて、かつ取付け穴の第１段差は、少なくとも一つの第１引き止め面を有する。位置決めピンは、少なくとも一つの第２引き止め面を有し、取付け穴に取付けられているため、第１引き止め面と第２引き止め面の相互の引き止めを利用し、自転防止の効果を達成することができる。
そのうち、第１密着部と第２密着部は、ディスク状の構造体を形成していて、第２密着部の側縁はさらに、少なくとも一対の切削面を有し、切削面は、対称の方式によって設置される。
【図面の簡単な説明】
【００１１】
【図１】公知打ちピンジグの位置決め装置の立体分解図である。
【図２】公知打ちピンジグの位置決め装置の組立後の断面図である。
【図３】本考案の好ましい実施例の立体分解図である。
【図４】本考案の好ましい実施例において、位置決めコンポーネントの構造態様図である。
【図５】本考案の好ましい実施例において、組立後の立体断面図である。
【考案を実施するための形態】
【００１２】
本考案の内容のさらなる理解を図るため、下記の説明に図式を組み合わせ、参考にしていただきたい。
【実施例】
【００１３】
図３ないし５の、本考案の好ましい実施例の立体分解図、組立後の構造態様図と組立後の立体断面視図を参照する。図に示すように、本考案の中央演算処理装置の打ちピンジグの位置決め装置２は、基板ジグ（図示しない）を位置合わせするときの位置決めに備える。板材２１と、複数の位置決めコンポーネント２２と、を備える。
【００１４】
そのうち、板材２１は、第１表面２１１と第２表面２１２を設け、かつ板材２１の中央部は、複数の型穴２１３を設けていて、かつその周りは複数の取付け穴２１４を設けている。取付け穴２１４は、それぞれ第１段差２１４１、第２段差２１４２と第３段差２１４３と、を有する。そのうち、第１段差２１４１は、第１表面２１１に隣接し、第３段差２１４３は、第２表面２１２と隣接する。さらに、取付け穴２１４の第１段差２１４１は、第１引き止め面２１４４が内設されている。
【００１５】
位置決めコンポーネント２２は、取付け穴２１４に内設され、位置決めコンポーネント２２は、位置決めピン２２１と、取付け具２２２と、を有する。位置決めピン２２１は、第１密着部２２１１を有し、第１段差２１４１に内設され、第１密着部２２１１の一つの表面は、延在部２２１２を有し、第２段差２１４２に内設され、もう一つの表面は、柱体２２１３を設けられ、板材２１の第１表面２１１に突き出していて、位置決めピン２２１は、ねじ穴２２１４に内設されている。取付け具２２２は、第２密着部２２２１を有し、第３段差２１４３に内設され、第２密着部２２２１の一つの側面は、スクリュー２２２２を有し、ねじ穴２２１４に締め付け固定されている。
さらに、位置決めピン２２１は、第２引き止め面２２１５を有し、取付け穴２１４に組み込み取り付けている。第１引き止め面２１４４と第２引き止め面２２１５が互いに引き止めを形成し、自転防止の効果を達成できる。図に示すように、第１密着部２２１１と第２密着部２２２１は、ディスク状の構造体を形成していて、第２密着部２２２１の側縁はさらに、少なくとも一対の切削面２２２３を有し、切削面２２２３は、対称の方式によって設置していて、工具による締め付けに備える。
【００１６】
前述とおり、本考案の中央演算処理装置の打ちピンジグの位置決め装置２は、位置決めコンポーネント２２の位置決めピン２２１と取付け具２２２は、ねじによる締め付け方式が採用されているため、脱着が便利である。よって、組立、保守または交換するときに、非常に便利であるほか、ラインのオペレータが自ら交換するにも非常に便利である。さらに、第１密着部２２１１と第２密着部２２２１がディスク状の構造体を形成され、平面方式にて、第１段差２１４１と第３段差２１４３に接触しており、より良い固定効果を有する。そのうえ、延在部２２１２は、第２段差２１４２に設けているため、位置決めの効果を有する。
【符号の説明】
【００１７】
＜公知技術＞
１                打ちピンジグ
１１              板材
１１１            第１表面
１１２            第２表面
１１３            取付け部
１１３１          ビアホール
１２              位置決めコンポーネント
１２１            位置決めピン
１２１１          ピン
１２２            弾性固定シート
１２２１          取り付け穴
＜本考案＞
２        中央演算処理装置の打ちピンジグの位置決め装置
２１      板材
２１１    第１表面
２１２    第２表面
２１３    型穴
２１４    取り付け穴
２１４１  第１段差
２１４２  第２段差
２１４３  第３段差
２１４４  第１引き止め面
２２      位置決めコンポーネント
２２１    位置決めピン
２２１１  第１密着部
２２１２  延在部
２２１３  柱体
２２１４  ねじ穴
２２１５  第２引き止め面
２２２    取付け具
２２２１  第２密着部
２２２２  スクリュー
２２２３  切削面
【図１】
0003172898.tif 000003
【図２】
0003172898.tif 000004
【図３】
0003172898.tif 000005
【図４】
0003172898.tif 000006
【図５】
0003172898.tif 000007